(57)【特許請求の範囲】
【請求項１】
励起光源および該励起光源の状態を監視する監視制御回路が設けられた複数のサブシステムを備え、各々のサブシステムの監視制御回路間で情報の送受信を行うようにした光海底中継器において、
前記サブシステムには、前記監視制御回路に接続された一対の発光素子および受光素子からなる光信号伝達手段が設けられ、該光信号伝達手段を介して前記監視制御回路の相互間の交信を行うようにしたことを特徴とする光海底中継器。
【請求項２】
前記サブシステムは少なくとも３個設置され、そのうちの少なくとも１個で前記光海底中継器内の全体のデータを処理するようにしたことを特徴とする請求項１記載の光海底中継器。
【請求項３】
前記光信号伝達手段の電源は、前記サブシステムの給電部を利用することを特徴とする請求項１又は請求項２記載の光海底中継器。
【発明の詳細な説明】
【０００１】
【発明の属する技術分野】
この発明は、光海底ケーブル伝送システムに用いられる光海底中継器に関するものである。
【０００２】
【従来の技術】
光海底ケーブル伝送システムは、陸側装置同士を接続する海底ケーブルに、伝送特性の劣化を防止し、光信号を再生するために所定間隔ごとに中継器が設けられている。図４は、従来の中継器を示す図であり、この中継器１は、３個のサブシステム２ａ，２ｂ，２ｃと、このサブシステム２ａ，２ｂ，２ｃに給電する給電部３ａ，３ｂ，３ｃ、信号線５に接続された光増幅器１３とからなっている。
【０００３】
サブシステム２ａ，２ｂ，２ｃ内には、半導体レーザ（ＬＤ）等の励起光源４、および励起光源４の劣化を監視する監視制御回路６が設けられている。そして、励起光源４には陸側装置（図示せず）からの信号線５が接続され、給電部３ａ，３ｂ，３ｃには同じく陸側装置からの給電線８が接続されている。そして、各サブシステム２ａ，２ｂ，２ｃの監視制御回路６の相互間は電気配線７により接続されている。
【０００４】
次に動作について説明する。
信号線５を介して陸側装置同士の光信号の伝送が行われると共に、伝送される光信号は励起光源４の出力で励起された光増幅器１３において増幅される。各サブシステム２ａ，２ｂ，２ｃの監視制御回路６の情報は電気配線７を介して互いに伝達されるとともに、励起光源４、光増幅器１３を介して信号線５上の光信号を変調し、信号線５を伝達して陸側装置に伝えられる。
【０００５】
【発明が解決しようとする課題】
従来の光海底中継器は、以上のように構成されているので、サブシステム２ａ，２ｂ，２ｃの監視制御回路６の相互間の情報伝達に電気配線７を用いているため、中継器１内に配線のスペースが必要になると共に、サブシステム２ａ，２ｂ，２ｃが異なる電位関係にあるため複雑なインタフェースが必要となり、これが中継器の大型化や信頼性を低下させる要因となる。
【０００６】
この発明は、上記のような課題を解決するためになされたもので、監視制御回路間の情報の伝達を光信号伝達手段を介して行うことにより電気配線をなくして、上記の課題を解決した光海底中継器を得ることを目的とする。
【０００７】
【課題を解決するための手段】
この発明に係る光海底中継器は、各々のサブシステムには、監視制御回路に接続された一対の発光素子および受光素子からなる光信号伝達手段が設けられ、該光信号伝達手段を介して監視制御回路相互間の交信を行うようにしたものである。
【０００８】
この発明に係る光海底中継器は、前記サブシステムは少なくとも３個設置され、そのうちの少なくとも１個で前記光海底中継器内の全体のデータを処理するようにしたものである。
【０００９】
この発明に係る光海底中継器は、前記光信号伝達手段の電源は、前記サブシステムの給電部を利用するようにしたものである。
【００１０】
【発明の実施の形態】
以下、本発明の実施の一形態を説明する。
実施の形態１．
図１は、この発明の実施の形態１による光海底中継器の概略構成図である。
図において、１は中継器、２ａ，２ｂは各々中継器１内の第１段および第２段のサブシステム、３ａ，３ｂはこのサブシステム２ａ，２ｂの給電部である。サブシステム２ａ，２ｂ内には、半導体レーザ等の励起光源４、および励起光源４の劣化あるいは信号光のレベル等の状態を監視する監視制御回路６が設けられている。そして、励起光源４は陸側装置（図示せず）からの信号線５に接続され、給電部３ａ，３ｂには陸側装置からの給電線８が接続されている。また、信号線５には光増幅器１３が接続されている。
【００１１】
第１段のサブシステム２ａの監視制御回路６には一対の発光素子１０ａと受光素子１１ａからなる光信号伝達手段２０Ａが接続され、また、第２段のサブシステム２ｂの監視制御回路６には一対の発光素子１０ｂと受光素子１１ｂからなる光信号伝達手段２０Ｂが接続されている。そして、光信号伝達手段２０Ａの発光素子１０ａに光信号伝達手段２０Ｂの受光素子１１ｂが対向し、光信号伝達手段２０Ａの受光素子１１ａに光信号伝達手段Ｂの発光素子１０ｂが対向している（図２参照）。これにより、発光素子１０ａからの光を受光素子１１ｂで受光し、発光素子１０ｂからの光を受光素子１１ａで受光し、サブシステム２ａ，２ｂの各々の監視制御回路６の相互間の情報の伝達が空間を伝搬する光信号で行われるようになっている。
【００１２】
次に動作について説明する。
信号線５を介して陸側装置同士の信号の伝送が行われると共に、伝送される光信号は励起光源４の出力で励起された光増幅器１３において増幅される。そして、第１段のサブシステム２ａと第２段のサブシステム２ｂの各々の監視制御回路６の相互間の信号のやりとりは、発光素子１０ａからの光を受光素子１１ｂが受光し、発光素子１０ｂからの光を受光素子１１ａが受光することにより行われる。
【００１３】
以上のように、この実施の形態１によれば、各々のサブシステム２ａ，２ｂの監視制御回路６に設けられた一対の発光素子１０ａ、受光素子１１ａおよび発光素子１０ｂ、受光素子１１ｂからなる光信号伝達手段２０Ａおよび２０Ｂを介して各サブシステム２ａ，２ｂの監視制御回路６の相互間の情報の伝達を行うようにしたので、従来の電気配線７が不要となり、かつ配線のためのインタフェースも不要となるため、構成が簡略化され、中継器１の小型化と信頼性の向上が可能となる。また、発光素子１０ａ，１０ｂおよび受光素子１１ａ，１１ｂの起動は給電部３ａ，３ｂを利用するので、起動用の電源を別に設ける必要はない。
【００１４】
実施の形態２．
図３は、この発明の実施の形態２による光海底中継器の概略構成図である。
図３において、２ａ，２ｂは実施の形態１と同様の第１段および第２段のサブシステム、２ｃは第３段のサブシステムであって、この第３段のサブシステム２ｃには発光素子１０ｃおよび受光素子１１ｃからなる光信号伝達手段２０Ｃが設けられている。
【００１５】
この実施の形態２では、サブシステム２ａと２ｂ間の監視制御回路６では比較的低機能のデータのみのやりとりが行われ、第３段のサブシステム２ｃの監視制御回路６では光海底中継器１の全体の情報を処理する高機能のデータ処理機能を備えたものとする。そして、サブシステム２ａと２ｂとの間では光信号伝達手段２０Ａ，２０Ｂにより実施の形態１と同様の信号の送受信がなされると共に、サブシステム２ａと２ｃ、および２ｂと２ｃ間でも光信号伝達手段２０Ａと２０Ｃ、および２０Ｂと２０Ｃを介して光信号の送受信がなされ、これにより、第３段のサブシステム２ｃの監視制御回路６で中継器１の全体のデータの処理が行われる。
【００１６】
以上のように、この実施の形態２によれば、第３段のサブシステム２ｃの監視制御回路６に高度の処理機能を持たせることにより、中継器１の全体のデータ処理を行うことができる。
【００１７】
【発明の効果】
この発明によれば、サブシステムの監視制御回路に接続された一対の発光素子と受光素子を介して各サブシステムの監視制御回路の情報の送受信を行うようにしたので、監視制御回路を接続する電気配線が不要となり、かつ配線のためのインタフェースも不要となるため、構成が簡略化され、中継器の小型化と信頼性の向上が可能となるという効果がある。
【００１８】
この発明によれば、第３段のサブシステムを設けたので、この第３段の監視制御回路に高度の処理機能を持たせることにより、中継器の全体のデータ処理を行うことができるという効果がある。
【００１９】
この発明によれば、発光素子および受光素子の起動は給電器の電流を利用するので、起動用の電源を別に設ける必要がないという効果がある。
【図面の簡単な説明】
【図１】  この発明の実施の形態１による光海底中継器の概略構成図である。
【図２】  図１の光信号伝達手段の部分の平面図である。
【図３】  この発明の実施の形態２による光海底中継器の概略構成図である。
【図４】  従来の光海底中継器の概略構成図である。
【符号の説明】
１  中継器、２ａ，２ｂ，２ｃ  サブシステム、３ａ，３ｂ，３ｃ  給電部、４  励起光源、５  信号線、６  監視制御回路、７  電気配線、８  給電線、１０ａ，１０ｂ，１０ｃ  発光素子、１１ａ，１１ｂ，１１ｃ  受光素子、１３  光増幅器、１５  励起光源、２０Ａ，２０Ｂ  光信号伝達手段。
【図１】
0003683474.tif 000002
【図２】
0003683474.tif 000003
【図３】
0003683474.tif 000004
【図４】
0003683474.tif 000005